【手続補正書】
【提出日】平成19年12月12日(2007.12.12)
【手続補正１】
【補正対象書類名】明細書
【補正対象項目名】発明の名称
【補正方法】変更
【補正の内容】
【発明の名称】デジタルカメラ、画像ビューアおよび記憶媒体
【手続補正２】
【補正対象書類名】明細書
【補正対象項目名】特許請求の範囲
【補正方法】変更
【補正の内容】
【特許請求の範囲】
【請求項１】  外部装置との間でデータの送受を行うための通信手段と、撮影した画像を画像ファイルとして格納するための記憶媒体と、
前記通信手段を介して前記記憶媒体に格納された画像ファイルのサムネイル画像を外部装置に送信した後に、該サムネイル画像に対応する画像ファイルに対する操作指示を前記外部装置から受信すると、該操作指示に従い前記記憶媒体内の前記送信されたサムネイル画像に対応する画像ファイルを操作する操作手段と
を備えることを特徴とするデジタルカメラ。
【請求項２】  前記記憶媒体は、前記画像ファイルを格納するための複数の格納領域を有し、前記画像ファイルに対する操作指示は、前記画像ファイルをその格納領域から他の格納領域へコピーするための操作指示、前記画像ファイルをその格納領域から他の格納領域へ移動するための操作指示のいずれかであることを特徴とする請求項１記載のデジタルカメラ。
【請求項３】  画像ファイルおよびそのサムネイル画像を保持する外部装置との間でデータの送受を行うための通信手段と、
前記通信手段を介して前記外部装置から送信されたサムネイル画像を受信すると、該受信したサムネイル画像の一覧を表示する表示手段と、
前記表示されたサムネイル画像の一覧から所望のサムネイル画像を指定するとともに、該指定されたサムネイル画像に対する操作を指定する指定手段と、
前記指定されたサムネイル画像に対し前記指定された操作を行う操作手段と、
前記指定されたサムネイル画像に対する操作を該サムネイル画像に対応する画像ファイルに対する操作とする操作指示を発行する操作指示発行手段とを備え、
前記通信手段により、前記発行された操作指示を前記外部装置に送信することを特徴とする画像ビューア。
【請求項４】  前記操作指示は、ファイルの削除、ファイル名変更、ファイルの並び順変更の内のいずれかであることを特徴とする請求項３記載の画像ビューア。
【請求項５】  前記デジタルカメラは、前記画像ファイルを格納するための複数の格納領域を有し、前記画像ファイルに対する操作指示は、前記画像ファイルをその格納領域から他の格納領域へコピーするための操作指示、前記画像ファイルをその格納領域から他の格納領域へ移動するための操作指示のいずれかであることを特徴とする請求項３記載の画像ビューア。
【請求項６】  前記表示手段は、前記受信したサムネイル画像の一覧を表示する際に、該サムネイル画像を前記格納領域別に前記表示手段に表示することを特徴とする請求項５記載の画像ビューア。
【請求項７】  デジタルカメラに保持されている画像ファイルを、前記デジタルカメラとの間でデータの送受が可能なように接続される情報処理装置上から操作するためのプログラムを格納した、前記情報処理装置が読み取り可能な記憶媒体であって、
前記プログラムは、
前記デジタルカメラから送信されたサムネイル画像を受信する受信ステップと、
前記受信モジュールにより受信したサムネイル画像の一覧を表示手段に表示するための表示ステップと、
前記表示されたサムネイル画像の一覧から所望のサムネイル画像を指定するとともに、該指定されたサムネイル画像に対する操作を指定するための指定ステップと、
前記指定されたサムネイル画像に対し前記指定された操作を行う操作ステップと、
前記指定されたサムネイル画像に対する操作を該サムネイル画像に対応する画像ファイルに対する操作とする操作指示を発行する操作指示発行ステップと、
前記発行された操作指示を前記デジタルカメラに送信する送信ステップと
を前記情報処理装置に実行させることを特徴とする記憶媒体。
【手続補正３】
【補正対象書類名】明細書
【補正対象項目名】０００１
【補正方法】変更
【補正の内容】
【０００１】
【発明の属する技術分野】
本発明は、デジタルカメラに保持されている画像ファイルを、デジタルカメラとの間でデータの送受が可能なように接続される画像ビューアから操作することが可能なデジタルカメラ、画像ビューアおよび記憶媒体に関する。
【手続補正４】
【補正対象書類名】明細書
【補正対象項目名】００１０
【補正方法】変更
【補正の内容】
【００１０】
本発明の目的は、画像ファイルに対する操作を容易に行うことができるデジタルカメラ、画像ビューアおよび記憶媒体を提供することにある。
【手続補正５】
【補正対象書類名】明細書
【補正対象項目名】００１１
【補正方法】変更
【補正の内容】
【００１１】
【課題を解決するための手段】
本発明は、外部装置との間でデータの送受を行うための通信手段と、撮影した画像を画像ファイルとして格納するための記憶媒体と、前記通信手段を介して前記記憶媒体に格納された画像ファイルのサムネイル画像を外部装置に送信した後に、該サムネイル画像に対応する画像ファイルに対する操作指示を前記外部装置から受信すると、該操作指示に従い前記記憶媒体内の前記送信されたサムネイル画像に対応する画像ファイルを操作する操作手段とを備えることを特徴とする。
【手続補正６】
【補正対象書類名】明細書
【補正対象項目名】００１２
【補正方法】変更
【補正の内容】
【００１２】
本発明は、画像ファイルおよびそのサムネイル画像を保持する外部装置との間でデータの送受を行うための通信手段と、前記通信手段を介して前記外部装置から送信されたサムネイル画像を受信すると、該受信したサムネイル画像の一覧を表示する表示手段と、前記表示されたサムネイル画像の一覧から所望のサムネイル画像を指定するとともに、該指定されたサムネイル画像に対する操作を指定する指定手段と、前記指定されたサムネイル画像に対し前記指定された操作を行う操作手段と、前記指定されたサムネイル画像に対する操作を該サムネイル画像に対応する画像ファイルに対する操作とする操作指示を発行する操作指示発行手段とを備え、前記通信手段により、前記発行された操作指示を前記外部装置に送信することを特徴とする。
【手続補正７】
【補正対象書類名】明細書
【補正対象項目名】００１３
【補正方法】変更
【補正の内容】
【００１３】
本発明は、デジタルカメラに保持されている画像ファイルを、前記デジタルカメラとの間でデータの送受が可能なように接続される情報処理装置上から操作するためのプログラムを格納した、前記情報処理装置が読み取り可能な記憶媒体であって、前記プログラムは、前記デジタルカメラから送信されたサムネイル画像を受信する受信ステップと、前記受信モジュールにより受信したサムネイル画像の一覧を表示手段に表示するための表示ステップと、前記表示されたサムネイル画像の一覧から所望のサムネイル画像を指定するとともに、該指定されたサムネイル画像に対する操作を指定するための指定ステップと、前記指定されたサムネイル画像に対し前記指定された操作を行う操作ステップと、前記指定されたサムネイル画像に対する操作を該サムネイル画像に対応する画像ファイルに対する操作とする操作指示を発行する操作指示発行ステップと、前記発行された操作指示を前記デジタルカメラに送信する送信ステップとを前記情報処理装置に実行させることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】０１９２
【補正方法】変更
【補正の内容】
【０１９２】
【発明の効果】
以上説明したように、本発明によれば、画像ファイルに対する操作を容易に行うことができる。
【手続補正５６】
【補正対象書類名】明細書
【補正対象項目名】０１９３
【補正方法】削除
【補正の内容】
【手続補正５７】
【補正対象書類名】明細書
【補正対象項目名】０１９４
【補正方法】削除
【補正の内容】
【手続補正５８】
【補正対象書類名】明細書
【補正対象項目名】０１９５
【補正方法】削除
【補正の内容】
【手続補正５９】
【補正対象書類名】明細書
【補正対象項目名】０１９６
【補正方法】削除
【補正の内容】
【手続補正６０】
【補正対象書類名】明細書
【補正対象項目名】０１９７
【補正方法】削除
【補正の内容】
【手続補正６１】
【補正対象書類名】明細書
【補正対象項目名】０１９８
【補正方法】削除
【補正の内容】
【手続補正６２】
【補正対象書類名】明細書
【補正対象項目名】０１９９
【補正方法】削除
【補正の内容】
【手続補正６３】
【補正対象書類名】明細書
【補正対象項目名】０２００
【補正方法】削除
【補正の内容】
【手続補正６４】
【補正対象書類名】明細書
【補正対象項目名】０２０１
【補正方法】削除
【補正の内容】
【手続補正６５】
【補正対象書類名】明細書
【補正対象項目名】０２０２
【補正方法】削除
【補正の内容】